(57)【要約】【課題】  記録装置に特別な機能がなくとも、記録装置に接続されたデジタル放送受信装置が、記録装置に録画された録画コンテンツを好適に管理して、録画コンテンツの消去に際して、ユーザーフレンドリィな消去手法をユーザーに提供できるようにすること。【解決手段】  デジタル放送受信装置において、記録装置と接続するための外部通信インターフェース手段と、外部通信インターフェース手段を通じて接続された記録装置から、当該記録装置に録画されている録画コンテンツの情報を取得して、取得した録画コンテンツの情報を基にして、録画コンテンツを管理するためのデータベースを作成または更新するデータベース管理手段と、データベースの内容を基にして記録装置の動作を制御する制御手段とを、備える。【選択図】    図１
2006060406.tif 000002
【特許請求の範囲】
【請求項１】
記録装置と接続可能とされて、少なくとも、受信したデジタル放送のコンテンツを記録装置に録画させる機能と、記録装置に録画された録画コンテンツを記録装置に消去させる機能とをもつデジタル放送受信装置からの、記録装置の制御方法であって、
前記記録装置との接続を確立するステップと、
前記記録装置から当該記録装置に録画されている録画コンテンツの情報を取得するステップと、
取得した録画コンテンツの情報を基にして、録画コンテンツを管理するためのデータベースを作成または更新するステップと、
前記データベースの内容を基にして前記記録装置を制御するステップとを、
具備したことを特徴とするデジタル放送受信装置からの記録装置の制御方法。
【請求項２】
請求項１記載のデジタル放送受信装置からの記録装置の制御方法において、
前記データベースの内容を基にして前記記録装置を制御するステップは、
前記記録装置の現在の空き容量を取得するステップと、
前記記録装置に録画させようとするコンテンツに必要とする前記記録装置における容量を計算するステップと、
前記した録画させようとするコンテンツに必要とする容量と前記記録装置の現在の空き容量とを比較するステップと、
前記記録装置の現在の空き容量が足りない場合に、前記した録画させようとするコンテンツに必要とする容量を確保するための消去対象候補となる録画コンテンツを、前記データベースから検索するステップと、
前記検索された録画コンテンツの情報をユーザーに提示するステップと、
ユーザーが消去することを同意した前記消去対象候補の録画コンテンツを、前記記録装置に消去させるステップとを、
具備し、
録画時に必要な空き領域を前記記録装置に確保することを特徴とするデジタル放送受信装置からの記録装置の制御方法。
【請求項３】
請求項１または２記載のデジタル放送受信装置からの記録装置の制御方法において、
前記記録装置から任意の録画コンテンツを消去することができることを特徴とするデジタル放送受信装置からの記録装置の制御方法。
【請求項４】
記録装置と接続可能とされて、少なくとも、受信したデジタル放送のコンテンツを記録装置に録画させる機能と、記録装置に録画された録画コンテンツを記録装置に消去させる機能とをもつデジタル放送受信装置であって、
前記記録装置と接続するための外部通信インターフェース手段と、
前記外部通信インターフェース手段を通じて接続された前記記録装置から、当該記録装置に録画されている録画コンテンツの情報を取得して、取得した録画コンテンツの情報を基にして、録画コンテンツを管理するためのデータベースを作成または更新するデータベース管理手段と、
前記データベースの内容を基にして前記記録装置の動作を制御する制御手段とを、
具備したことを特徴とするデジタル放送受信装置。
【請求項５】
請求項４記載のデジタル放送受信装置において、
前記制御手段は、
前記記録装置に録画させようとするコンテンツに必要とする前記記録装置における容量を計算するとともに、前記記録装置の現在の空き容量を取得し、録画させようとするコンテンツに必要とする容量と前記記録装置の現在の空き容量とを比較する手段と、
前記記録装置の現在の空き容量が足りない場合に、前記した録画させようとするコンテンツに必要とする容量を確保するための消去対象候補となる録画コンテンツを、前記データベースから検索して、検索された消去対象候補の録画コンテンツを表示手段上に提示させる手段と、
ユーザーが消去することを同意した前記消去対象候補の録画コンテンツを、前記記録装置に消去させる手段とを、
具備し、
録画時に必要な空き領域を前記記録装置に確保することを特徴とするデジタル放送受信装置。
【請求項６】
請求項１または２記載のデジタル放送受信装置において、
前記記録装置から任意の録画コンテンツを消去することができることを特徴とするデジタル放送受信装置。
【発明の詳細な説明】
【技術分野】
【０００１】
本発明は、デジタル放送受信装置に外部バスを通じて接続された記録装置を、デジタル放送受信装置から制御する技術に関する。
【背景技術】
【０００２】
デジタルテレビ放送では、テレビ信号がデジタル化して配信され、また高画質な番組が配信されるため、大容量の記録装置が求められる。このため、大容量の記録装置としてＨＤＤレコーダや、ＤＶＤレコーダなどが開発されている。
【０００３】
これらのＨＤＤレコーダやＤＶＤレコーダは、１台で多数のコンテンツ（番組）を録画できる。また、ＨＤＤやＤＶＤはランダムアクセスが可能であるため、録画されたコンテンツの頭出しが容易になり、さらに、連続していない空き領域への録画が可能になるというメリットがある。
【０００４】
このようなＨＤＤレコーダやＤＶＤレコーダでは、記録されたコンテンツを容易に消去できる。また、これらの機器では、一般的に、記録されたコンテンツを消去してもよいかどうかを、例えばロック、非ロックなどを指定することで、ユーザーが任意に設定することが可能となっている。
【０００５】
上記のような機能は記録装置（録画再生装置）が有しており、特開２００１−１０１７９３号公報では、重要度を記憶するメモリ領域を有することで、録画コンテンツのさまざまな消去手法を開示している。
【特許文献１】特開２００１−１０１７９３号公報
【発明の開示】
【発明が解決しようとする課題】
【０００６】
ところで、特許文献１に示された録画再生装置では、録画再生装置がデジタルテレビ放送受信装置の機能と記録装置の機能とを併せもっており、重要度を勘案して録画コンテンツを管理・制御できる体系は、予め録画再生装置に組み込まれている。
【０００７】
しかし、デジタルテレビ放送受信装置と、ＨＤＤレコーダやＤＶＤレコーダなどの記録装置とが別体で、デジタルテレビ放送受信装置に任意の記録装置が外部バスで接続される場合には、デジタルテレビ放送受信装置からの制御によって記録装置に録画、消去を行わせるに際して、ユーザーフレンドリィな操作環境を構築することに関しては、従来はさほどの考慮が払われていなかった。
【０００８】
ＨＤＤレコーダやＤＶＤレコーダなどの記録装置は、デジタルテレビ放送受信装置とＩＥＥＥ１３９４バスによって接続される。そして、デジタルテレビ放送受信装置側からの制御によって、録画予約機能などにより記録装置にコンテンツの録画を行わせたり、録画コンテンツの再生を行わせたりすることが可能となっており、そのための操作体系がデジタルテレビ放送受信装置に組み込まれている。
【０００９】
しかしながら、録画コンテンツに関する消去不可／消去可の設定は、記録装置に接続されたデジタルテレビ放送受信装置から行うことは可能であるが、デジタルテレビ放送受信装置が、記録装置に録画された録画コンテンツを好適に管理して、録画コンテンツの消去に際して、ユーザーフレンドリィな消去手法をユーザーに提供できるものとはなっていなかった。
【００１０】
つまり例えば、ＨＤＤなどの残り容量（空き容量）が少なくなったときに、消去対象候補として適当な録画コンテンツをユーザーに自動的に提示し、この提示を利用してユーザーが消去の指示を行うといった、ユーザーフレンドリィな消去手法をユーザーに提供できるものとはなっていなかった。また、記録装置から複数の録画コンテンツを選択して消去を行う場合には、コンテンツを１つ１つ消去するといった手法をとるしかなく、このような手法は、ユーザーにとっては、間違いを起こしやすく、また、操作手順も長くて操作が煩雑なものとなっていた。
【００１１】
本発明はこのような状況を鑑みてなされたものであり、その目的とするところは、記録装置に特別な機能がなくとも、記録装置に接続されたデジタル放送受信装置が、記録装置に録画された録画コンテンツを好適に管理して、録画コンテンツの消去に際して、ユーザーフレンドリィな消去手法をユーザーに提供できるようにすることにある。
【課題を解決するための手段】
【００１２】
上記した目的を達成するために、本願による代表的な１つの発明では、
記録装置と接続可能とされて、少なくとも、受信したデジタル放送のコンテンツを記録装置に録画させる機能と、記録装置に録画された録画コンテンツを記録装置に消去させる機能とをもつデジタル放送受信装置において、
前記記録装置と接続するための外部通信インターフェース手段と、
前記外部通信インターフェース手段を通じて接続された前記記録装置から、当該記録装置に録画されている録画コンテンツの情報を取得して、取得した録画コンテンツの情報を基にして、録画コンテンツを管理するためのデータベースを作成または更新するデータベース管理手段と、
前記データベースの内容を基にして前記記録装置の動作を制御する制御手段とを、
備え、
前記制御手段は、
前記記録装置に録画させようとするコンテンツに必要とする前記記録装置における容量を計算するとともに、前記記録装置の現在の空き容量を取得し、録画させようとするコンテンツに必要とする容量と前記記録装置の現在の空き容量とを比較する手段と、
前記記録装置の現在の空き容量が足りない場合に、前記した録画させようとするコンテンツに必要とする容量を確保するための消去対象候補となる録画コンテンツを、前記データベースから検索して、検索された消去対象候補の録画コンテンツを表示手段上に提示させる手段と、
ユーザーが消去することを同意した前記消去対象候補の録画コンテンツを、前記記録装置に消去させる手段とを、
有する。
【発明の効果】
【００１３】
本発明によれば、記録装置に特別な機能がなくても、デジタル放送受信装置に、記録装置中の録画コンテンツの情報をデータベース化して保存することにより、さまざまな機能を付加することができる。これにより、ユーザーの操作間違いによる録画コンテンツの消去間違いや、記録装置の容量不足による録画失敗の回避といった効果が得られる。
【発明を実施するための最良の形態】
【００１４】
以下、本発明の実施の形態を、図面を用いて説明する。
【００１５】
図１は、本発明の一実施形態（以下、本実施形態と記す）に係るデジタルテレビ放送受信装置と、それに接続された記録装置の構成を示すブロック図であり、１はデジタルテレビ放送受信装置（以下、受信装置１と記す）、２は受信装置１に接続されたＨＤＤレコーダよりなる記録装置（データ記録再生装置）である。
【００１６】
図１の受信装置１において、３はアンテナ、４は、アンテナ３で受信したデジタルテレビ放送信号から所望のチャンネルの信号を選局する選局部（チューナ部）、５はデジタル変調信号を復調する復調部、６は、復調されたトランスポートストリームを映像、音声、データの各ストリームに分離する分離部、７は映像ストリームを復号する映像デコーダ、８は音声ストリームを復号する音声デコーダ、９はデータストリームを復号するデータデコーダ、１０は、選局部４、復調部５、分離部６、各デコーダ７〜９などを含んだ受信部、１１は、映像デコーダ７、音声デコーダ８の出力を表示・音声出力したり、圧縮／伸張部１２で伸張処理された出力を表示・音声出力したり、主制御部１７の処理で生成された映像・音声データを表示・音声出力したりする表示部、１２は、番組（コンテンツ）の録画時には各デコーダ７〜９の出力を圧縮処理し、また、再生時には録画装置２からの再生データを伸張処理する圧縮／伸張部、１３は、ＩＥＥＥ１３９４規格による外部通信インターフェース部、１４は、図示せぬリモコンなどからのユーザーによる入力操作を解釈する入力操作解釈部、１５は、記録装置２に録画されている録画コンテンツの情報を取得して、取得した録画コンテンツの情報を基にして、録画コンテンツを管理するためのデータベース１６を作成または更新するデータベース管理部、１６は、適宜のメモリに構築・格納された録画コンテンツ管理用のデータベース、１７は、受信装置１内の各部を制御して受信装置１全体の統括管理を司る主制御部であり、該主制御部１７は、図示せぬＲＯＭなどに予め用意された各種プログラムに基づいて、図示せぬＲＡＭなどをワークエリアとして、受信コンテンツ（番組）の表示・音声出力処理、受信コンテンツを記録装置２に記録させる処理、記録装置２で再生されたコンテンツの表示・音声出力処理、各種ＯＳＤ画像の生成・表示処理、各種演算処理、等々の各種の処理を実行する。
【００１７】
また、図１の記録装置２において、２１は、受信装置１の外部通信インターフェース部１３と外部バスを介して接続されたＩＥＥＥ１３９４規格による外部通信インターフェース部、２２は、受信装置１からの指令に基づいて記録装置２内の各部を制御する制御部、２３は、制御部２２の制御の下にＨＤＤ２４に記録／再生を行う記録／再生部、２４は、コンテンツを録画し、また、録画された録画コンテンツを再生するＨＤＤ、２４ａは、ＨＤＤ２４の所定領域に設けられた管理テーブルである。
【００１８】
図２は、本実施形態の受信装置１内に構築・保管されるデータベース１６の内容の１例を示す図である。図２に示すように、データベース１６には、記録装置番号３１、番組名３２、サービス名３３、サービスＩＤ３４、録画日時３５、ロック状態３６、コンテンツ容量３７、最終再生日時３８、再生回数３９などが、各録画コンテンツ毎に格納されている。
【００１９】
次に、録画コンテンツを管理するためのデータベース１６の作成／更新方法について、図３を用いて説明する。図３は、データベース１６を作成／更新する際の処理の流れを示す図である。
【００２０】
はじめに、ステップＳ１で、受信装置１の外部通信インターフェース部１３と記録装置２の外部通信インターフェース部２１が、外部バスを介して物理的に接続される。このとき、受信装置１は、接続された記録装置２の名称や記録装置２のメーカーといった情報を取得する。次に、ステップＳ２において、ユーザーの操作で操作対象の機器を選択し、操作対象の機器として記録装置２が選択されると、受信装置１と記録装置２との間に、論理的な接続（以下、リンクと呼ぶ）が確立する。リンクが確立すると、ステップ３において、受信装置１は、記録装置２に対し、録画されている録画コンテンツのリスト情報の転送を要求する。これにより、ステップＳ４において、記録装置２の管理テーブル２４ａから読み出されたコンテンツリストが、記録装置２から受信装置１に転送されて、受信装置１はコンテンツリストを取得する。
【００２１】
次に、ステップＳ５において、ステップＳ４で得られたコンテンツリストの内容と、現在のデータベース１６の内容とを比較する。ここで、一致した録画コンテンツが存在した場合には、ステップＳ６で、取得したコンテンツリスト中の対応する録画コンテンツの詳細情報を確認し、変更されている項目についてはその内容を更新してデータベース１６に登録する。一方、取得したコンテンツリストの録画コンテンツがデータベース１６に存在しない場合には、ステップＳ７において、データベース１６に存在していなかった録画コンテンツについての管理データを、データベース１６に新たに登録する。
【００２２】
そして、ステップＳ８において、ステップＳ４で取得したコンテンツリスト中の全ての録画コンテンツに対する比較処理が終了したかどうかを確認し、終了していない場合にはステップＳ５〜Ｓ７の処理を繰り返し、終了した場合にはステップＳ９へ進む。
【００２３】
ステップＳ９では、データベース１６上に存在し、ステップＳ４で取得したコンテンツリスト中には存在しない録画コンテンツについては、その管理データを全てデータベース１６から削除する。最後に、ステップＳ１０において、作成あるいは更新されたデータベース１６を、受信装置１の内部メモリの適宜格納領域に保存する。
【００２４】
次に、記録装置２に録画された録画コンテンツを、選択して消去する方法を説明する。図４は、消去する録画コンテンツを選択するためにユーザーへ提示する、受信装置１の表示部１１上の消去操作用画面の１例を示す図である。この消去操作用画面は、ユーザーが図示せぬリモコンを操作して、録画コンテンツの消去操作を指示したときに、表示部１１上に表示される。図４に示した消去操作用画面には、例えば、番組名、サービスＩＤ、録画日時や、消去対象とする録画コンテンツ項目の選択欄４１や、帯番組消去ボタン４２や、消去実行ボタン４３などが表示されており、リモコンを用いて消去操作用画面と対話式にユーザーが操作を行えるようになっている。
【００２５】
図５は、録画コンテンツを消去する際の処理の流れの第１例を示している。
【００２６】
はじめに、ステップＳ１１で、ユーザーは図示せぬリモコンを操作して、消去操作用画面を表示させる。この消去操作用画面は、データベース１６の内容を基に、主制御部１７によって作成される。
【００２７】
次に、ステップＳ１２において、ユーザーが消去する録画コンテンツを選択欄４１で選択し、消去実行ボタン４３を押す。これにより、ステップＳ１３において、消去を実行する録画コンテンツに関するデータをデータベース１６から取得する。次に、ステップＳ１４において、記録装置２に対してユーザーによって選択された録画コンテンツの消去を指示して、これを受けて、記録装置２は、指示された録画コンテンツの消去を実行し、合わせて、消去した録画コンテンツに関する管理データを管理テーブル２４ａから消去する。
【００２８】
そして、ステップＳ１５において、ステップＳ１３で取得した全ての録画コンテンツに対して消去処理が終了したかどうかを確認し、終了していない場合にはステップＳ１４、１５の処理を繰り返し、終了した場合にはステップＳ１６へ進む。
【００２９】
ステップＳ１６では、ステップＳ１２で選択された全ての録画コンテンツに関する管理データをデータベース１６から削除し、最後に、ステップＳ１７において、更新されたデータベース１６を、受信装置１の内部メモリの適宜格納領域に保存する。なお、このとき、データベース１６を作成するときと同じように、記録装置２の管理テーブル２４ａの内容とデータベース１６の内容とを比較し、更新されたデータベース１６の内容が正しいかどうかを、確認することも可能である。
【００３０】
次に、曜日、時間帯、サービスＩＤなどが一致する録画コンテンツ（以下、これを帯番組コンテンツと記す）の削除について説明する。
【００３１】
図６は、録画コンテンツを消去する際の処理の流れの第２例を示している。この図６は、図４の消去操作用画面において、ユーザーが消去する録画コンテンツを選択したときに、併せて帯番組コンテンツの削除を指示した際に、実行される処理の流れを示すものである。
【００３２】
はじめに、ステップＳ２１で、ユーザーは図示せぬリモコンを操作して、消去操作用画面を表示させる。次に、ステップＳ２２において、ユーザーが消去する録画コンテンツを選択欄４１で選択し、帯番組消去ボタン４２を押して、選択した録画コンテンツの属する帯番組の録画コンテンツの一括消去を指示する。
【００３３】
これにより、ステップＳ２３において、消去を選択された録画コンテンツに関する、曜日、時間帯、サービスＩＤなどのデータをデータベース１６から取得する。次に、ステップＳ２４において、ステップＳ２３で取得した曜日、時間帯、サービスＩＤと一致するデータをもつ録画コンテンツを、データベース１６から検索し、一致するデータをもつ全ての録画コンテンツ（すなわち、ユーザーが消去を選択した録画コンテンツが属する帯番組に属する全ての録画コンテンツ）に関するデータを、データベース１６から取得する。
【００３４】
次に、ステップＳ２５において、記録装置２に対してユーザーによって指示された帯番組に属する録画コンテンツの消去を指示して、これを受けて、記録装置２は、指示された帯番組に属する録画コンテンツの消去を実行し、合わせて、消去した録画コンテンツに関する管理データを管理テーブル２４ａから消去する。
【００３５】
そして、ステップＳ２６において、ステップＳ２２およびステップＳ２４で取得した全ての録画コンテンツに対して消去処理が終了したかどうかを確認し、終了していない場合にはステップＳ２５、２６の処理を繰り返し、終了した場合にはステップＳ２７へ進む。
【００３６】
ステップＳ２７では、ステップＳ２２およびステップＳ２４で取得した全ての録画コンテンツに関する管理データを、データベース１６から削除し、最後に、ステップＳ２８において、更新されたデータベース１６を、受信装置１の内部メモリの適宜格納領域に保存する。
【００３７】
なお、上述した帯番組コンテンツの消去機能と似た機能として、例えば、ユーザーに時間帯を設定してもらい、これに一致する全ての録画コンテンツを消去するような機能を持たせることも可能である。
【００３８】
次に、新たな録画予約を実行するときの動作について説明する。図７は、新たな録画予約を実行するときの処理の流れを示す図である。
【００３９】
録画予約の操作が行われたとき、まず、ステップＳ３１で、受信装置１は記録装置２と通信を行い、記録装置２のＨＤＤ２４の現在の空き容量を確認する。次に、ステップＳ３２において、放送に多重されている電子番組情報から得られる録画予約された番組（コンテンツ）の最大ビットレートあるいは映像情報と番組時間、もしくは、ユーザーによる記録解像度の設定と録画時間の設定の情報などを取得し、ステップＳ３３において、ステップＳ３２で取得した情報に基づき、記録装置２に録画させようとする番組に必要とする記録装置２における容量（録画予約の実行に必要な容量な記録装置２の容量）を計算する。
【００４０】
そして、ステップＳ３４において、ステップＳ３１で取得した記録装置２の空き容量と、ステップＳ３３で計算した録画予約の実行に必要な容量とを比較して、記録装置２に録画予約を実行するのに十分な空き容量があるかどうかを判断し、記録装置２の空き容量が十分である場合には、ステップＳ４１へ進んで処理を終了し、記録装置２の空き容量が十分ではない場合はステップＳ３５へ進む。
【００４１】
ステップＳ３５では、データベース１６を参照して、録画予約させようとする番組に必要とする容量を確保するために、記録装置２に録画された録画コンテンツから、消去対象候補としての録画コンテンツを検索する。この消去対象候補の検索の条件としては、１例として、同じ曜日、同じ時間帯、同じサービスＩＤで、なおかつ、再生済みの録画コンテンツを、消去対象候補として抽出する。この他にも、消去対象候補の検索の条件としては、もっとも古い録画日時の録画コンテンツ、再生したことのある録画コンテンツ、あるいはこれらの組み合わせなどが考えられる。
【００４２】
次に、ステップＳ３６において、ユーザーに対し、記録装置２の空き容量が少ない旨を知らせるメッセージと、ステップＳ３５で抽出された第１位の消去対象候補の録画コンテンツのデータとを提示する。図８は、ステップＳ３６でユーザーに提示される操作案内画面の１例を示す図で、ユーザーは、消去に同意する場合は「はい」ボタン５１を押し、消去に同意しない場合は「いいえ」ボタン５２を押す。
【００４３】
次に、ステップＳ３７において、ユーザーが提示した消去対象候補の録画コンテンツの消去に同意したかどうかを確認し、同意した場合にはステップＳ３８に進み、同意しなかった場合には、次位の消去対象候補の録画コンテンツのデータを順次提示することで、ステップＳ３５〜３７の処理を繰り返す。
【００４４】
ステップＳ３８では、ユーザーが消去に同意した録画コンテンツの消去を、受信装置１が記録装置２に対して指示し、これを受けて、記録装置２は、指示された録画コンテンツの消去を実行し、合わせて、消去した録画コンテンツに関する管理データを管理テーブル２４ａから消去する。次に、ステップＳ３９において、記録装置２から消去された録画コンテンツに関する管理データをデータベース１６から削除し、ステップＳ４０において、更新されたデータベース１６を、受信装置１の内部メモリの適宜格納領域に保存した後、ステップＳ４１へ進んで処理を終了する。
【００４５】
なお、消去対象候補の録画コンテンツの検索・抽出には、ユーザーが設定した検索条件を用いることも可能で、このようにした場合には、ユーザーの設定した検索条件に合致する録画コンテンツをステップＳ３５で検索する。
【図面の簡単な説明】
【００４６】
【図１】本発明の一実施形態に係るデジタルテレビ放送受信装置とそれに接続された記録装置の構成を示すブロック図である。
【図２】図１中のデータベースの内容の１例を示す説明図である。
【図３】本発明の一実施形態に係るデジタルテレビ放送受信装置における、データベースを作成／更新する際の処理の流れを示すフローチャートである。
【図４】本発明の一実施形態に係るデジタルテレビ放送受信装置で表示される消去操作用画面の１例を示す説明図である。
【図５】本発明の一実施形態に係るデジタルテレビ放送受信装置における、録画コンテンツを消去する際の処理の流れの第１例を示すフローチャートである。
【図６】本発明の一実施形態に係るデジタルテレビ放送受信装置における、録画コンテンツを消去する際の処理の流れの第２例を示すフローチャートである。
【図７】本発明の一実施形態に係るデジタルテレビ放送受信装置における、新たな録画予約を実行するときの処理の流れを示すフローチャートである。
【図８】図７のステップＳ３５で提示される操作案内画面の１例を示す説明図である。
【符号の説明】
【００４７】
１  デジタルテレビ放送受信装置（受信装置）
２  記録装置
３  アンテナ
４  選局部
５  復調部
６  分離部
７  映像デコーダ
８  音声デコーダ
９  データデコーダ
１０  受信部
１１  表示部
１２  圧縮／伸張部
１３  外部通信インターフェース部
１４  入力操作解釈部
１５  データベース管理部
１６  データベース
１７  主制御部
２１  外部通信インターフェース部
２２  制御部
２３  記録／再生部
２４  ＨＤＤ
２４ａ  管理テーブル
【図１】
2006060406.tif 000003
【図２】
2006060406.tif 000004
【図３】
2006060406.tif 000005
【図４】
2006060406.tif 000006
【図５】
2006060406.tif 000007
【図６】
2006060406.tif 000008
【図７】
2006060406.tif 000009
【図８】
2006060406.tif 000010